(57)【要約】  再生装置で再生されるための情報記録媒体において、ＡＶデータと、ユーザとの相互作用を行うためのインタラクティブコンテンツと、インタラクティブコンテンツを管理するためのインタラクティブコンテンツ管理情報と、を含み、インタラクティブコンテンツ管理情報は、再生装置で行われるアプリケーションに関する情報、及び該アプリケーションを代替する代替アプリケーションに関する情報を含むことを特徴とする情報記録媒体である。
2010537354.tif 000002
【特許請求の範囲】
【請求項１】
再生装置で再生されるための情報記録媒体において、
ＡＶデータと、
ユーザとの相互作用を行うためのインタラクティブコンテンツと、
前記インタラクティブコンテンツを管理するためのインタラクティブコンテンツ管理情報と、を含み、
前記インタラクティブコンテンツ管理情報は、前記再生装置で行われるアプリケーションに関する情報、及び前記アプリケーションを代替する代替アプリケーションに関する情報を含むことを特徴とする情報記録媒体。
【請求項２】
前記アプリケーションに関する情報は、前記アプリケーションが行われるために要求される再生装置の仕様に関する要求仕様段階情報と、前記アプリケーションの位置情報とを含むことを特徴とする請求項１に記載の情報記録媒体。
【請求項３】
前記代替アプリケーションは、前記再生装置が前記要求仕様段階情報で要求する再生装置仕様を充足できない場合、前記アプリケーションを代替して行われるためのアプリケーションであることを特徴とする請求項２に記載の情報記録媒体。
【請求項４】
前記代替アプリケーションに関する情報は、
前記代替アプリケーションの有無情報と前記代替アプリケーションの位置情報とを含むことを特徴とする請求項１に記載の情報記録媒体。
【請求項５】
ＡＶデータが保存された情報記録媒体を再生する装置において、
前記情報記録媒体から前記ＡＶデータ、ユーザとの相互作用を行うためのインタラクティブコンテンツ、及び前記インタラクティブコンテンツを管理するためのインタラクティブコンテンツ管理情報を読み込むリーダと、
前記インタラクティブコンテンツ管理情報から前記再生装置で行われるアプリケーションに関する情報、及び前記アプリケーションを代替する代替アプリケーションに関する情報を得、前記アプリケーションに関する情報及び前記代替アプリケーションに関する情報を参照して、アプリケーションを再生する再生ユニットと、を備えることを特徴とする再生装置。
【請求項６】
前記アプリケーションに関する情報は、前記アプリケーションが行われるために要求される再生装置の仕様に関する要求仕様段階情報と、前記アプリケーションの位置情報とを含むことを特徴とする請求項５に記載の再生装置。
【請求項７】
前記再生ユニットは、前記再生装置が前記要求仕様段階情報で要求する再生装置仕様を充足できない場合、前記代替アプリケーションに関する情報を参照して、前記代替アプリケーションを再生することを特徴とする請求項６に記載の再生装置。
【請求項８】
前記代替アプリケーションに関する情報は、
前記代替アプリケーションの有無情報と前記代替アプリケーションの位置情報とを含むことを特徴とする請求項７に記載の再生装置。
【請求項９】
前記再生ユニットは、前記代替アプリケーションの有無情報から前記代替アプリケーションがないことを確認した場合、前記再生装置に保存された常住代替アプリケーションを再生することを特徴とする請求項８に記載の再生装置。
【請求項１０】
前記常住代替アプリケーションは、ユーザにコンテンツ再生に問題があることを知らせる警告用コンテンツを含むことを特徴とする請求項９に記載の再生装置。
【請求項１１】
再生装置でＡＶデータが保存された情報記録媒体を再生する方法において、
前記情報記録媒体から前記ＡＶデータ、ユーザとの相互作用を行うためのインタラクティブコンテンツ、及び前記インタラクティブコンテンツを管理するためのインタラクティブコンテンツ管理情報を読み込むステップと、
前記インタラクティブコンテンツ管理情報から、前記再生装置で行われるアプリケーションに関する情報、及び前記アプリケーションを代替する代替アプリケーションに関する情報を得、前記アプリケーションに関する情報及び前記代替アプリケーションに関する情報を参照して、アプリケーションを再生するステップと、を含むことを特徴とする再生方法。
【請求項１２】
前記アプリケーションに関する情報は、前記アプリケーションが行われるために要求される再生装置の仕様に関する要求仕様段階情報と、前記アプリケーションの位置情報とを含むことを特徴とする請求項１１に記載の再生方法。
【請求項１３】
前記再生ステップは、
前記再生装置が前記要求仕様段階情報で要求する再生装置仕様を充足できない場合、前記代替アプリケーションに関する情報を参照して、前記代替アプリケーションを再生するステップを含むことを特徴とする請求項１２に記載の再生方法。
【請求項１４】
前記代替アプリケーションに関する情報は、
前記代替アプリケーションの有無情報と前記代替アプリケーションの位置情報とを含むことを特徴とする請求項１３に記載の再生方法。
【請求項１５】
前記再生ステップは、
前記代替アプリケーションの有無情報から前記代替アプリケーションがないことを確認した場合、前記再生装置に保存された常住代替アプリケーションを再生するステップを含むことを特徴とする請求項１４に記載の再生方法。
【請求項１６】
前記常住代替アプリケーションは、ユーザにコンテンツ再生に問題があることを知らせる警告用コンテンツを含むことを特徴とする請求項１５に記載の再生方法。
【発明の詳細な説明】
【技術分野】
【０００１】
本発明は、インタラクティブコンテンツ要求仕様段階による再生互換性を保証するための情報記録媒体、再生装置及び再生方法に関する。
【背景技術】
【０００２】
映画を提供するためのＡＶ（Ａｕｄｉｏ/Ｖｉｄｅｏ）ストリームを保存する光ディスクには、ユーザとの相互動作を強化するために、ＡＶストリームに加えて、プログラム基盤やマークアップ言語基盤のインタラクティブコンテンツがさらに保存されうる。
【０００３】
しかし、ＡＶストリームは、光ディスクに保存されたデータの形態及びこれを再生するための再生装置で定義しているＡＶアプリケーション規格によって、最大クオリティが定められており、したがって、再生装置は、ＡＶストリームを再生するために、該ＡＶアプリケーション規格で提示するターゲットデコーダモデルを最小限遵守するため、ＡＶストリームは、いずれの機器でも問題なく再生されうる。
【０００４】
しかし、ユーザとの相互作用を強化するために追加されたインタラクティブコンテンツの場合、ＡＶストリームと異なり、コンテンツ製作者の能力、要求形態によって結果物が多様に生成されるので、最終クオリティに対する制約がない。したがって、インタラクティブコンテンツを含むＡＶアプリケーション規格では、再生装置の仕様、例えば、ＣＰＵ（Ｃｅｎｔｒａｌ  Ｐｒｏｃｅｓｓｉｎｇ  Ｕｎｉｔ）の処理速度、メモリ容量、追加記録媒体のデータ入出力速度によってステップを定義することによって、コンテンツ製作者が再生装置の仕様段階を考慮してインタラクティブコンテンツを製作している。
【０００５】
前記のように、再生装置は、ＣＰＵの処理速度、メモリ容量、追加記録媒体のデータ入出力速度による仕様によって、多様なステップが定義され、図１の例では、任意に高仕様再生装置と低仕様再生装置とに分けて説明する。
【０００６】
図１に示したように、再生装置は、ＡＶストリームと共に、低仕様アプリケーションを再生できる再生装置と、高仕様アプリケーションまで再生できる再生装置とに分けられ、これにより、コンテンツ製作者は、光ディスクの製作時、ＡＶストリームと共に、低仕様アプリケーションのみ製作するか、あるいは高仕様アプリケーションまで含んで製作できる。
【０００７】
図１を参照するに、高仕様アプリケーション再生可能ＡＶストリーム再生装置１１０は、ＡＶストリームタイトル１３１以外に、高仕様アプリケーションを含むタイトル１３２を含むディスク２  １３０及びＡＶストリームタイトル１４１以外に、低仕様アプリケーションを含むタイトル１４２を含むディスク１  １４０をいずれも再生できる。しかし、低仕様アプリケーション再生可能ＡＶストリーム再生装置１２０は、ディスク１  １４０のすべてのタイトルは、再生可能であるが、ディスク２  １３０の一部タイトル、すなわち、高仕様アプリケーションを含むタイトル１３２は、正しく再生できない。
【０００８】
このように、再生装置の仕様によって、コンテンツ製作者も多様なステップの光ディスクを製作するが、ユーザの立場では、このような情報なしに、低仕様再生装置を備えても、高仕様光ディスクを購買する場合、コンテンツ製作者が提供するすべてのタイトルを正しく提供されなくなるという問題点がある。
【発明の概要】
【発明が解決しようとする課題】
【０００９】
本発明が解決しようとする課題は、再生装置の仕様によってコンテンツ製作者が提供するすべてのタイトルを正しく実行できない状況を考慮して、ユーザの不便さを減少させうる情報記録媒体、再生装置及び再生方法を提供することである。
【課題を解決するための手段】
【００１０】
前記課題を解決するための本発明の一つの特徴は、再生装置で再生されるための情報記録媒体において、ＡＶ(Ａｕｄｉｏ/Ｖｉｄｅｏ)データと、ユーザとの相互作用を行うためのインタラクティブコンテンツと、前記インタラクティブコンテンツを管理するためのインタラクティブコンテンツ管理情報と、を含み、前記インタラクティブコンテンツ管理情報は、前記再生装置で行われるアプリケーションに関する情報及び前記アプリケーションを代替する代替アプリケーションに関する情報を含むことである。
【００１１】
前記アプリケーションに関する情報は、前記アプリケーションが行われるために要求される再生装置の仕様に関する要求仕様段階情報と、前記アプリケーションの位置情報とを含むことが望ましい。
【００１２】
前記代替アプリケーションは、前記再生装置が前記要求仕様段階情報で要求する再生装置仕様を充足させられない場合、前記アプリケーションを代替して行われるためのアプリケーションであることが望ましい。
【００１３】
前記代替アプリケーションに関する情報は、前記代替アプリケーションの有無情報と前記代替アプリケーションの位置情報とを含むことが望ましい。
【００１４】
本発明の他の特徴は、ＡＶデータが保存された情報記録媒体を再生する装置において、前記情報記録媒体から前記ＡＶデータ、ユーザとの相互作用を行うためのインタラクティブコンテンツ、及び前記インタラクティブコンテンツを管理するためのインタラクティブコンテンツ管理情報を読み取るリーダと、前記インタラクティブコンテンツ管理情報から前記再生装置で行われるアプリケーションに関する情報、及び前記アプリケーションを代替する代替アプリケーションに関する情報を得、前記アプリケーションに関する情報及び前記代替アプリケーションに関する情報を参照して、アプリケーションを再生する再生ユニットと、を備えることである。
【００１５】
前記再生ユニットは、前記再生装置が前記要求仕様段階情報で要求する再生装置仕様を充足しない場合、前記代替アプリケーションに関する情報を参照して、前記代替アプリケーションを再生することが望ましい。
【００１６】
前記再生ユニットは、前記代替アプリケーションの有無情報から、前記代替アプリケーションがないことを確認した場合、前記再生装置に保存された常住代替アプリケーションを再生することが望ましい。
【００１７】
前記常住代替アプリケーションは、ユーザにコンテンツ再生に問題があることを知らせる警告用コンテンツを含むことが望ましい。
【００１８】
本発明のさらに他の特徴は、再生装置でＡＶデータが保存された情報記録媒体を再生する方法において、前記情報記録媒体から前記ＡＶデータ、ユーザとの相互作用を行うためのインタラクティブコンテンツ、及び前記インタラクティブコンテンツを管理するためのインタラクティブコンテンツ管理情報を読み取るステップと、前記インタラクティブコンテンツ管理情報から、前記再生装置で行われるアプリケーションに関する情報、及び前記アプリケーションを代替する代替アプリケーションに関する情報を得、前記アプリケーションに関する情報及び前記代替アプリケーションに関する情報を参照して、アプリケーションを再生するステップと、を含むことである。
【発明の効果】
【００１９】
本発明によれば、代替アプリケーションの定義を通じて、ユーザが再生装置の仕様段階による再生問題を緩和し、今後さらに高仕様を要求するインタラクティブコンテンツに対しても、準備が可能である。
本発明は、ＢＤ−ＲＯＭプレイヤのＢＤ−ＪＡＶＡ（登録商標）のように、プロファイルによって再生装置及び光ディスクに含まれた内容が変わる場合に適用可能である。
【図面の簡単な説明】
【００２０】
【図１】高仕様再生装置と低仕様再生装置とで再生できるディスクを説明するための参考図である。
【図２】本発明による情報記録媒体の一例を示す図である。
【図３】図２に示されたインタラクティブコンテンツ管理情報の細部構造図である。
【図４】図３に示されたアプリケーション関連情報の細部構造図である。
【図５】図３に示された代替アプリケーション関連情報の細部構造図である。
【図６】アプリケーションが複数個ある場合、本発明によるインタラクティブコンテンツ管理情報の一例を示す図である。
【図７】本発明による再生装置を示すブロック図である。
【図８】本発明による再生方法を示すフローチャートである。
【図９】図８に示された再生方法を具体的に示すフローチャートである。
【図１０Ａ】本発明によって代替アプリケーションを実行する画面の具現例である。
【図１０Ｂ】本発明によって代替アプリケーションを実行する画面の具現例である。
【図１０Ｃ】本発明によって代替アプリケーションを実行する画面の具現例である。
【発明を実施するための形態】
【００２１】
低仕様再生装置を備えたユーザが高仕様光ディスクを再生しようとする場合、再生装置の仕様問題によって、一部のタイトルを正しく再生できないか、あるいは再生できない問題を解決するために、本発明では、光ディスク内にインタラクティブコンテンツを含む場合、アプリケーションが要求する仕様情報だけでなく、該要求仕様情報を充足できない再生装置のために、代替アプリケーションを追加製作して、これを適用するために、インタラクティブコンテンツ管理情報内に代替アプリケーション有無情報４１０、及び代替アプリケーション位置情報をさらに定義する。また、前記のような光ディスクを再生する再生装置において、該再生装置より高仕様を要求するアプリケーションが含まれた光ディスクを再生せねばならない場合、代替アプリケーション有無情報を把握して、代替アプリケーションが存在する場合、代替アプリケーション位置情報を通じて該代替アプリケーションを再生させ、別途に製作された代替アプリケーションが光ディスクにない場合、再生装置内に既に定義された常住代替アプリケーションを再生させることによって、ユーザの不便さを解消できる。本説明では、主にアプリケーションという用語が使われたが、本発明は、これに限定されず、インタラクティブ機能を提供するためのいかなる種類のコンテンツも含むという意味である。
【００２２】
図２は、本発明による情報記録媒体２００の一例である。図２を参照するに、本発明による情報記録媒体は、ＡＶ（Ａｕｄｉｏ／Ｖｉｄｅｏ）ストリーム２１０、インタラクティブコンテンツ２２０、インタラクティブコンテンツ管理情報２３０を含む。
【００２３】
ＡＶストリーム２１０は、オーディオ及び/またはビデオデータで構成されたＡＶデータを称し、代表的なものとして、映画タイトルのようなものが挙げられる。
【００２４】
インタラクティブコンテンツ２２０は、ＡＶストリームタイトルを再生しつつ、ユーザとの相互作用を強化するためのデータであって、アプリケーションを含む。アプリケーションは、例えば、ＡＶ画面に映画が再生されている時、再生されている場面についての監督の説明を見せるアプリケーション、再生されている場面に出る地域に関する付加情報を見せるアプリケーション、再生されている場面に出るアクターに関する付加情報を見せるアプリケーションを含みうる。
【００２５】
また、インタラクティブコンテンツ２２０は、特に、本発明によって、所定タイトルに付加されたアプリケーションが実行されない場合に備えて、前記アプリケーションを代替する代替アプリケーションをさらに含む。
【００２６】
本発明による情報記録媒体２００に、ＡＶストリーム２１０には、一つ以上のタイトルを含み、各タイトルは、ＡＶストリームのみ再生するタイトルとなることもあり、ＡＶストリームに加えて、インタラクティブコンテンツが付加されたタイトルとなることもある。
【００２７】
インタラクティブコンテンツ管理情報２３０は、インタラクティブコンテンツ２２０を管理するための情報であって、インタラクティブコンテンツタイトルを再生するためのプログラムまたはマークアップ言語基盤アプリケーションに関する情報を定義する。情報記録媒体２００に複数のアプリケーションが保存されている場合、各アプリケーションに対応するインタラクティブコンテンツ管理情報２３０を有する。
【００２８】
インタラクティブコンテンツ管理情報２３０は、特に、本発明によって、代替アプリケーションに関する情報を含む。
【００２９】
図３は、インタラクティブコンテンツ管理情報２３０の細部構造を示す。図３を参照するに、インタラクティブコンテンツ管理情報２３０は、アプリケーション関連情報３１０と代替アプリケーション関連情報３２０とを含む。アプリケーション関連情報３１０は、インタラクティブコンテンツ２２０に含まれたアプリケーションを管理するための情報であり、代替アプリケーション関連情報３２０は、該アプリケーションを代替するための代替アプリケーションに関する情報である。
【００３０】
図４は、図３に示されたアプリケーション関連情報３１０の細部的な構造を示す。図４を参照するに、アプリケーション関連情報３１０は、要求仕様段階情報３１１とアプリケーション位置情報３１２とを含む。要求仕様段階情報３１１は、該アプリケーションを再生するために要求される再生装置の仕様に関する情報を表し、アプリケーション位置情報３１２は、該アプリケーションが情報記録媒体３００に記録された位置に関する情報を表す。
【００３１】
要求仕様段階情報３１１での要求仕様段階は、例えば、次のようなものを考慮できる。すなわち、映画タイトルのみを再生可能であり、他のアプリケーションタイトルの再生は支援しないステップをステップＡと、映画タイトル再生以外に、ＰＩＰ(Ｐｉｃｔｕｒｅ  Ｉｎ  Ｐｉｃｔｕｒｅ)機能及び数枚のイメージデータのダウンロードを支援するステップをステップＢと、ステップＢに支援される機能以外に、一つの映画タイトル全体に対するダウンロードまで支援するステップをステップＣと定めうる。
【００３２】
再生装置は、アプリケーションを再生しようとする時、まず再生装置の仕様と情報記録媒体３００に保存された要求仕様段階情報３１１とを比較して、再生装置の仕様が要求仕様段階情報３１１に要求する仕様を満足すれば、アプリケーション位置情報３１２が指す位置でアプリケーションを読み込んで、該アプリケーションを再生できる。例えば、再生装置の仕様が前記したステップＡと設定されているが、情報記録媒体２００に保存された特定アプリケーションの要求仕様段階情報３１１がステップＢを表していれば、再生装置は、再生装置の仕様が要求仕様段階情報３１１で要求する仕様を充足できないので、その特定アプリケーションを実行できないと決定する。
【００３３】
図５は、図３に示された代替アプリケーション関連情報３２０の細部的な構造を示す。図５を参照するに、代替アプリケーション関連情報３２０は、代替アプリケーション有無情報３２１と代替アプリケーション位置情報３２２とを含む。
【００３４】
代替アプリケーション有無情報３２１は、該アプリケーションを代替する代替アプリケーションが情報記録媒体３００に保存されているか否かを表し、代替アプリケーション位置情報３２２は、代替アプリケーションが存在する場合に、その代替アプリケーションが情報記録媒体２００に保存された位置を表す。例えば、再生装置は、アプリケーションを再生しようとする時、まず再生装置の仕様と情報記録媒体３００に保存された要求仕様段階情報３１１とを比較して、再生装置の仕様が要求仕様段階情報３１１に要求する仕様を満足すれば、アプリケーション位置情報３１２が指す位置でアプリケーションを読み込んで、該アプリケーションを再生できるが、再生装置の仕様が要求仕様段階情報３１１で要求する仕様を充足できない場合に、該アプリケーションを再生できないので、代替アプリケーション有無情報３２１を参照して、情報記録媒体２００に代替アプリケーションが保存されているか否かを確認し、もし代替アプリケーションが存在すれば、代替アプリケーション位置情報３２２が指す位置で代替アプリケーションを読み込んで、代替アプリケーションを再生できる。
【００３５】
図６は、アプリケーションが複数個ある場合、本発明によるインタラクティブコンテンツ管理情報の一例６００を示す。図６を参照するに、情報記録媒体２００には、インタラクティブコンテンツ２２０として、アプリケーション１からアプリケーションＮまでＮ個のアプリケーションが保存されており、インタラクティブコンテンツ管理情報２３０として、Ｎ個のアプリケーションをそれぞれ管理するための情報を含んでいる。具体的に、アプリケーション１を管理するための情報６１０として、アプリケーション１を再生するために要求される再生装置の仕様情報を表す要求仕様段階情報３１１、アプリケーション１が保存された位置を表すアプリケーション位置情報３１２、再生装置がアプリケーション１を再生できる仕様条件を充足できない時に代替できる代替アプリケーションが情報記録媒体２００に保存されているか否かを表す代替アプリケーション有無情報３２１、アプリケーション１を代替する代替アプリケーションが保存されている場合、その保存された位置を表す代替アプリケーション位置情報３２２を含む。これと同様に、アプリケーションＮを管理するための情報６２０として、アプリケーションＮを再生するために要求される再生装置の仕様情報を表す要求仕様段階情報３１１、アプリケーションＮが保存された位置を表すアプリケーション位置情報３１２、再生装置がアプリケーションＮを再生できる仕様条件を充足できない時に代替できる代替アプリケーションが情報記録媒体２００に保存されているか否かを表す代替アプリケーション有無情報３２１、アプリケーションＮを代替する代替アプリケーションが保存されている場合、その保存された位置を表す代替アプリケーション位置情報３２２を含む。
【００３６】
図７は、本発明による再生装置７００のブロック図である。図７を参照するに、再生装置７００は、リーダ７１０と再生ユニット７２０とを備える。
【００３７】
リーダ７１０は、本発明による情報記録媒体２００からＡＶデータ、インタラクティブコンテンツ、インタラクティブ管理情報を読み込んで、これを再生ユニット７２０に伝達する。
【００３８】
再生ユニット７２０は、リーダ７１０を通じてＡＶデータ、インタラクティブコンテンツ、インタラクティブコンテンツ管理情報を受信し、受信されたＡＶデータとインタラクティブコンテンツとを再生する。特に、本発明によって、再生ユニット７２０は、インタラクティブコンテンツ管理情報から再生装置で行われるアプリケーションに関する情報、及び前記アプリケーションを代替する代替アプリケーションに関する情報を得、前記アプリケーションに関する情報、及び前記代替アプリケーションに関する情報を参照して、アプリケーションを再生する。
【００３９】
さらに具体的に、再生ユニット７２０は、システムマネジャー７３０、インタラクティブコンテンツデコーダ７４０、プレゼンテーションエンジン７５０を備え、選択的に常住代替アプリケーションを保存する保存空間をさらに備えうる。
【００４０】
システムマネジャー７３０は、タイトル情報によってインタラクティブコンテンツデコーダ７４０を制御し、ユーザ入力を処理する。
【００４１】
インタラクティブコンテンツデコーダ７４０は、ＡＶストリーム再生制御用ＡＰＩ（Ａｐｐｌｉｃａｔｉｏｎ  Ｐｒｏｇｒａｍｍｉｎｇ  Ｉｎｔｅｒｆａｃｅ）によってプレゼンテーションエンジン７６０を制御し、該タイトル再生に必要なアプリケーションを実行する。本発明によって、インタラクティブコンテンツデコーダ７４０は、アプリケーション付加されたタイトルを再生せねばならない時、まず該アプリケーションに関する情報、すなわち、要求仕様段階情報３１１とシステムレジスタ７７０に保存された仕様段階に関する情報とを比較して、再生装置が該アプリケーションを再生できる要求仕様を満足させるか否かを判断する。判断結果、満足させたら、該アプリケーションを情報記録媒体３００から読み込んで再生すればよく、満足させなければ、代替アプリケーション有無情報３２１を参照して、情報記録媒体２００に代替アプリケーションがあるか否かを判断する。判断結果、情報記録媒体２００に代替アプリケーションが存在すれば、その代替アプリケーションを読み込んで再生すればよい。そして、判断結果、情報記録媒体２００に代替アプリケーションが存在せねば、再生装置７００の内部に常住代替アプリケーションが存在するか否かを確認し、存在すれば、該常住代替アプリケーションを実行できる。
【００４２】
このように、本発明による再生装置７００の他の特徴は、インタラクティブコンテンツデコーダ７４０内にまたは追加的なストレージに、該再生装置７００で再生できない高仕様アプリケーションを含む情報記録媒体２００を再生する時のために、高仕様アプリケーションを代替して再生する常住代替アプリケーション７５０をさらに備えることである。このような常住代替アプリケーション７５０は、例えば、ユーザに一部コンテンツ再生に問題があることを知らせる警告用コンテンツを含みうる。しかし、本発明で述べる常住代替アプリケーションは、これに限定されず、いかなる形態のアプリケーションでも可能である。
【００４３】
プレゼンテーションエンジン７６０は、ＡＶストリームを再生するためにオーディオ/ビデオデコーダを備え、また、システムレジスタ７７０に該再生装置７００の仕様段階に関する情報を含む。また、プレゼンテーションエンジン７６０は、情報記録媒体２００に含まれた追加データをデコーディングして再生するための多様なデコーダ、例えば、サブタイトルデコーダ、メニューデコーダをさらに備えうる。
【００４４】
図８は、本発明による再生方法を示すフローチャートである。図８を参照するに、本発明による再生装置７００のリーダ７１０は、情報記録媒体から前記ＡＶデータ、ユーザとの相互作用を行うためのインタラクティブコンテンツ、前記インタラクティブコンテンツを管理するためのインタラクティブコンテンツ管理情報を読み込む(８１０)。
【００４５】
次いで、再生ユニット７２０は、インタラクティブコンテンツ管理情報から前記再生装置で行われるアプリケーションに関する情報、及び前記アプリケーションを代替する代替アプリケーションに関する情報を得、前記アプリケーションに関する情報及び前記代替アプリケーションに関する情報を参照して、アプリケーションを再生する(８２０)。
【００４６】
図９は、図８に示された再生方法を具体的に示すフローチャートである。図９を参照するに、まず本発明による再生装置７００に、本発明による情報記録媒体２００の一種であるディスクを挿し込む(９１０)。再生装置７００は、タイトル情報を解析し(９２０)、現在再生しようとするタイトルがインタラクティブコンテンツを含んでいるか否かを判断する(９３０)。
【００４７】
インタラクティブコンテンツを含んでいない場合には、そのままタイトルを再生し(９６０)、動作を終了する。
【００４８】
インタラクティブコンテンツを含んでいる場合には、タイトルに含まれたアプリケーションの要求仕様段階が再生装置７００のシステムレジスタ７７０に定義された仕様段階より高いか否かを判断する(９４０)。
【００４９】
判断結果、タイトルに含まれたアプリケーションの要求仕様段階がシステムレジスタ７７０に定義された仕様段階より高くない場合には、タイトル及びタイトルに含まれたアプリケーションを再生し(９６０)、動作を終了する。
【００５０】
判断結果、タイトルに含まれたアプリケーションの要求仕様段階がシステムレジスタ７７０に定義された仕様段階より高い場合には、代替アプリケーション有無情報によって代替するアプリケーションが存在するか否かを確認する(９５０)。
【００５１】
確認結果、代替するアプリケーションがディスクに存在しない場合には、再生装置７００内に保存された常住代替アプリケーション７５０を再生する(９７０)。
【００５２】
確認結果、代替するアプリケーションがディスクに存在する場合には、代替アプリケーション位置情報を参照して、ディスク内に保存された代替アプリケーションを再生する(９８０)。
【００５３】
図１０Ａないし図１０Ｃは、本発明によって代替アプリケーションを実行する画面の具現例を示す。図１０Ａを参照するに、本発明による再生装置に連結されたディスプレイ装置の画面１０００にＡＶデータ１０１０が再生されており、画面１０００の右側下端に再生されているＡＶデータと関連したアプリケーションを実行可能にするアイコン１０２０が設けられる。ユーザがアプリケーションの実行のためにアイコン１０２０を入力装置で選択すれば、再生装置は、アプリケーションに関する情報を参照して、該アプリケーションの再生如何を決定する。
【００５４】
すなわち、該アプリケーションに必要な再生装置の仕様を現在再生装置が満足させうると判断されれば、再生装置は、該アプリケーションを読み込んで画面１０００に再生する。図１０Ｂを参照するに、例えば、再生されるアプリケーション１０３０は、再生されているＡＶデータに関する説明を、監督が説明する画面をＰＩＰ状で見せることである。
【００５５】
もし、該アプリケーションに必要な再生装置の仕様を現在再生装置が満足させない場合、再生装置は、情報記録媒体に該アプリケーションを代替する代替アプリケーションが存在するか否かを確認し、代替アプリケーションが存在すれば、その代替アプリケーションの画面を実行させうる。しかし、情報記録媒体に保存されている代替アプリケーションがない場合、再生装置は、もし再生装置の内部に保存されている代替アプリケーションがあったら、再生装置の内部に保存された代替アプリケーションは、実行できる。例えば、このような代替アプリケーションは、図１０Ｃに示したように、“申し訳ありません。アプリケーションコンテンツが再生できないです”という警告用メッセージを出力するアプリケーション１０４０となりうる。
【００５６】
以上、本発明は、図面に示された実施形態を参照して説明されたが、これは、例示的なものに過ぎず、当業者ならば、これから多様な変形及び均等な他の実施形態が可能であるということが分かるであろう。したがって、本発明の真の技術的保護範囲は、特許請求の範囲によって決定されねばならない。
【図１】
2010537354.tif 000003
【図２】
2010537354.tif 000004
【図３】
2010537354.tif 000005
【図４】
2010537354.tif 000006
【図５】
2010537354.tif 000007
【図６】
2010537354.tif 000008
【図７】
2010537354.tif 000009
【図８】
2010537354.tif 000010
【図９】
2010537354.tif 000011
【図１０Ａ】
2010537354.tif 000012
【図１０Ｂ】
2010537354.tif 000013
【図１０Ｃ】
2010537354.tif 000014
【国際調査報告】
2010537354.tif 000015
2010537354.tif 000016
2010537354.tif 000017
2010537354.tif 000018